(57)【要約】【課題】吐出操作の回数を視覚的に認知することが可能な容器体装着用のポンプ装置を提供する。【解決手段】シリンダ４を含む装置本体２と、容器体の口頸部１０２への装着用の装着筒部３４を有する装着部材３２と、上記シリンダ内へ上方付勢させて昇降自在に挿入したステム５４の上部に押下げヘッド７０を付設した作動部材５０とを具備し、作動部材５０への押下げ力を押下げヘッド７０の回転力に変換する回転手段Ｒと、押下げヘッド７０の回転量を表示する回転量表示手段Ｍとで形成する、押し下げ操作のカウンター手段を有する。回転手段は、装置本体２の外面から延設する外向きのフランジ部Ｆの上面側に設けた、上面を下側係合斜面Ｓ１とする複数の第１係合凸部２８と、上記案内筒部３６の上部内面に付設した、下面を上側係合斜面Ｓ２とする複数の第２係合凸部３８と、押下げヘッドの下部外面に付設した被係合突起７８とで形成する。【選択図】図１
2015127226.tif 000002
【特許請求の範囲】
【請求項１】
容器体(１００)の口頸部(１０２)内方へ垂設するためのシリンダ(４)を有し、このシリンダ(４)の内面の上部に抜け止め用筒部(２４)を固定してなる装置本体(２)と、
容器体の口頸部(１０２)への装着用の装着筒部(３４)を有し、この装着筒部(３４)の内面上部に、上記シリンダの上端部を口頸部(１０２)に対して係止させる係止手段(Ｅ)を設けた装着部材(３２)と、
上記シリンダ(４)内へ上方付勢させて昇降自在にステム(５４)の下半部を挿入するとともに、ステム(５４)の上部に押下げヘッド(７０)を付設しており、ステム(５４)の下半部の回りに設けた環状ピストン(５２)を抜け止め用筒部(２４)下方のシリンダ部分に摺接させた作動部材(５０)と、
を具備し、
作動部材(５０)の上下動により、シリンダ(４)の下部内に設けた第１逆止弁(Ｖ１)を介して容器体(１００)内の液体をシリンダ(４)内へ吸い込むとともに、シリンダ(４)内の液体を作動部材(５０)の一部に形成した第２逆止弁(Ｖ２)を介して押下げヘッド(７０)のノズル(８０)から吐出可能に設け、
また装着筒部(３４)の上部から起立した案内筒部(３６)の内面で上記押下げヘッド(７０)の昇降を案内するように形成し、
さらに作動部材(５０)の押下げ回数を表示するカウンター手段を有する容器体装着用のポンプ装置であって、
上記カウンター手段は、作動部材(５０)への押下げ力を押下げヘッド(７０)の回転力に変換する回転手段(Ｒ)と、押下げヘッド(７０)の回転量を表示する回転量表示手段(Ｍ)とで形成し、
上記回転手段(Ｒ)は、装置本体(２)の外面から延設する外向きのフランジ部(Ｆ)の上面側に、上面を下側係合斜面(Ｓ１)とする複数の第１係合凸部(２８)を、また上記案内筒部(３６)の上部内面に、下面を上側係合斜面(Ｓ２)とする複数の第２係合凸部(３８)を、垂直方向から見て互い違いに周方向に等ピッチで配列し、また下側係合斜面(Ｓ１)は側方から見て周方向の一方から他方へ下がるように、上側係合斜面(Ｓ２)は側方から見て周方向一方から他方へ上がるように傾斜させることで、上記押下げヘッド(７０)の下部外面に付設した被係合突起(７８)が押下げヘッド(７０)の下降時には下側係合斜面(Ｓ１)と接し、次に押下げヘッド(７０)の上昇時には上側係合斜面(Ｓ２)と接して、押下げヘッド(７０)が周方向一方から他方へ回転するように形成したことを特徴とする、容器体装着用のポンプ装置。
【請求項２】
上記装置本体(２)と装着部材(３２)との間に回り留め手段(Ｕ)を設けるとともに、
上記フランジ部(Ｆ)及び案内筒部(３６)の相互に対応する周方向の一部を、第１係合凸部(２８)及び第２係合凸部(３８)の形成を省略したプライミング操作用領域(Ａ１)とし、周方向の残りの部分を、第１係合凸部(２８)乃至第２係合凸部(３８)を設けた通常操作領域(Ａ２)とし、上記被係合突起(７８)が通常操作領域(Ａ２)内に位置するときに限って押下げヘッド(７０)の押下げにより押下げヘッド(７０)が回転するように形成したことを特徴とする、請求項１記載の液体容器装着用のポンプ装置。
【請求項３】
上記複数の第１係合凸部(２８)は、相互に一定の空隙(ｇ１)を存して周方向に配向された、フランジ部(Ｆ)からの起立板として、また上記複数の第２係合凸部(３８)は、相互に一定幅の凹溝(ｇ２)を存して周方向に配設された案内筒部(３６)の内周面から内方へ突出する肉厚部としてそれぞれ形成し、
押下げヘッド(７０)の下降により、上記空隙(ｇ１)内に位置する被係合突起(７８)が下側係合斜面(Ｓ１)へ接して当該斜面を斜行した後に隣りの凹溝(ｇ２)内に入り、押下げヘッド(７０)の上昇により、凹溝(ｇ２)内に位置する被係合突起(７８)が上側係合斜面(Ｓ２)へ当接して当該斜面を斜行した後に隣りの空隙(ｇ１)に入るように構成したことを特徴とする、請求項１又は請求項２に記載の液体容器装着用のポンプ装置。
【請求項４】
上記被係合突起(７８)は、側方からみて、その上面を、周方向の一方から他方へ下がる下側傾斜面(Ｔ１)に、またその下面を、周方向一方から他方へ上がる上側傾斜面(Ｔ２)にそれぞれ形成し、かつ下側傾斜面(Ｔ１)の傾斜角度を第１係合凸部(２８)の下側係合斜面(Ｓ１)の傾斜角と一致させるとともに、上側傾斜面(Ｔ２)の傾斜角度を第２係合凸部(３８の上側係合斜面(Ｓ２)の傾斜角と一致させるようにしたことを特徴とする、請求項１から請求項３のいずれかに記載の液体容器装着用のポンプ装置。
【請求項５】
上記回転量表示手段(Ｍ)は、案内筒部(３６)の上部に付設された内向きフランジ(４２)の上面に形成した第１マーク(ｍ１)と、押下げヘッド(７０)の頂壁部(７２)の上面に形成された第２マーク(ｍ２)とで構成されたことを特徴とする、請求項１から請求項４の何れかに記載の液体容器装着用のポンプ装置。
【請求項６】
上記装置本体(２)のフランジ部(Ｆ)を、装置本体(２)のうち抜け止め用筒部(２４)の上部から外方へ延出させたフランジ状壁部としたことを特徴とする、請求項１から請求項５の何れかに記載の液体容器装着用のポンプ装置。
【発明の詳細な説明】
【技術分野】
【０００１】
本発明は、容器体装着用のポンプ装置、特に操作回数を認知可能な容器体装着用のポンプ装置に関する。
【背景技術】
【０００２】
医薬品などの如く使用量が定められている液体の容器では、例えば朝・夕毎に使用したことを識別できるように吐出操作をカウントできると便利である。こうした要請から、ポンプ式ではないが、エアゾール容器において容器体から起立する棒状のノズルの先端に押釦付きの回転部材を取り付け、この回転部材に押釦の押下げ操作により回転部材を回転させる回転手段を組み込み、回転部材の回転量により押下げ操作の回数を認知できるようにしたものが知られている。上記回転手段は、回転部材の周方向に傾く係合斜面に、押釦と連動して上下動する突起を摺動可能に当接させてなる（特許文献１）。
【先行技術文献】
【特許文献】
【０００３】
【特許文献１】特開２０１１−１５６４７４
【発明の概要】
【発明が解決しようとする課題】
【０００４】
特許文献１は、エアゾール容器に回転手段を提供することを開示しているに過ぎない。液体に用いる容器体装着用のポンプ装置は、初期操作としてポンプ内部の空気を排出するために押釦を押す作業（プライミング）が必要である点などでエアゾール容器とは作用が異なり、もちろん構造も異なる。
【０００５】
本発明の目的は、吐出操作の回数を視覚的に認知することが可能な容器体装着用のポンプ装置を提供することである。
【課題を解決するための手段】
【０００６】
第１の手段は、
容器体１００の口頸部１０２内方へ垂設するためのシリンダ４を有し、このシリンダ４の内面の上部に抜け止め用筒部２４を固定してなる装置本体２と、
容器体の口頸部１０２への装着用の装着筒部３４を有し、この装着筒部３４の内面上部に、上記シリンダの上端部を口頸部１０２に対して係止させる係止手段Ｅを設けた装着部材３２と、
上記シリンダ４内へ上方付勢させて昇降自在にステム５４の下半部を挿入するとともに、ステム５４の上部に押下げヘッド７０を付設しており、ステム５４の下半部の回りに設けた環状ピストン５２を抜け止め用筒部２４下方のシリンダ部分に摺接させた作動部材５０と、
を具備し、
作動部材５０の上下動により、シリンダ４の下部内に設けた第１逆止弁Ｖ１を介して容器体１００内の液体をシリンダ４内へ吸い込むとともに、シリンダ４内の液体を作動部材５０の一部に形成した第２逆止弁Ｖ２を介して押下げヘッド７０のノズル８０から吐出可能に設け、
また装着筒部３４の上部から起立した案内筒部３６の内面で上記押下げヘッド７０の昇降を案内するように形成し、
さらに作動部材５０の押下げ回数を表示するカウンター手段を有する容器体装着用のポンプ装置であって、
上記カウンター手段は、作動部材５０への押下げ力を押下げヘッド７０の回転力に変換する回転手段Ｒと、押下げヘッド７０の回転量を表示する回転量表示手段Ｍとで形成し、
上記回転手段Ｒは、装置本体２の外面から延設する外向きのフランジ部Ｆの上面側に、上面を下側係合斜面Ｓ１とする複数の第１係合凸部２８を、また上記案内筒部３６の上部内面に、下面を上側係合斜面Ｓ２とする複数の第２係合凸部３８を、垂直方向から見て互い違いに周方向に等ピッチで配列し、また下側係合斜面Ｓ１は側方から見て周方向の一方から他方へ下がるように、上側係合斜面Ｓ２は側方から見て周方向一方から他方へ上がるように傾斜させることで、上記押下げヘッド７０の下部外面に付設した被係合突起７８が押下げヘッド７０の下降時には下側係合斜面Ｓ１と接し、次に押下げヘッド７０の上昇時には上側係合斜面Ｓ２と接して、押下げヘッド７０が周方向一方から他方へ回転するように形成している。
【０００７】
本手段は、図１に示すように、容器体装着用のポンプ装置に使用回数を感知させるカウンター手段を組み込むことを提案しており、当該カウンター手段は、押下げヘッド７０の押下げに連動して押下げヘッドを回転させる回転手段Ｒと、押下げヘッド７０の回転量を表示する回転量表示手段Ｍとからなる。そして回転手段Ｒは、装置本体２より外方突出するフランジ部Ｆから起立する下側係合斜面Ｓ１付きの第１係合凸部２８と、装着部材３２の案内筒部３６に付設した上側係合斜面Ｓ２付きの第２係合凸部３８と、それら両係合斜面に係合する、押下げヘッド７０の外面に付設された被係合突起７８とで形成している。押下げヘッド７０を回転させるための専用の部品を用いることなく、既存のポンプ装置の各部材の一部を改良して回転機能を実現しているので、構造を簡単にすることができる。
【０００８】
「フランジ部」は、装置本体の各部材の一部から延長するものであればどのような構造でもよい。図１に示す図示例では、フランジ部Ｆを、抜け止め用筒部２４の上部から延長したフランジ状壁部２６としているが、例えばフランジ状壁部の突出長を短くして、シリンダ４の外向きフランジ８から第１係合凸部を突出した場合にも、本発明の作用効果が発揮される。
【０００９】
第２の手段は、第１の手段を有し、かつ
上記装置本体２と装着部材３２との間に回り留め手段Ｕを設けるとともに、
上記フランジ部Ｆ及び案内筒部３６の相互に対応する周方向の一部を、第１係合凸部２８及び第２係合凸部３８の形成を省略したプライミング操作用領域Ａ１とし、周方向の残りの部分を、第１係合凸部２８乃至第２係合凸部３８を設けた通常操作領域Ａ２とし、上記被係合突起７８が通常操作領域Ａ２内に位置するときに限って押下げヘッド７０の押下げにより押下げヘッド７０が回転するように形成した。
【００１０】
本手段では、図４に示すように、上記フランジ部の周方向の一部を、第１係合凸部２８乃至第２係合凸部３８を形成しないプライミング操作用領域Ａ１としている。プライミング操作においては、押下げヘッド７０の被係合突起７８が、第１係合凸部２８及び第２係合凸部３８と係合しないプライミング操作用領域Ａ１にある状態で使用することで、プライミングのための押下げヘッド７０の押下げがカウントされないようにすることができる。
【００１１】
第３の手段は、第１の手段又は第２の手段を有し、かつ
上記複数の第１係合凸部２８は、相互に一定の空隙ｇ１を存して周方向に配向された、フランジ部Ｆからの起立板として、また上記複数の第２係合凸部３８は、相互に一定幅の凹溝ｇ２を存して周方向に配設された案内筒部３６の内周面から内方へ突出する肉厚部としてそれぞれ形成し、
押下げヘッド７０の下降により、上記空隙ｇ１内に位置する被係合突起７８が下側係合斜面Ｓ１へ接して当該斜面を斜行した後に隣りの凹溝ｇ２内に入り、押下げヘッド７０の上昇により、凹溝ｇ２内に位置する被係合突起７８が上側係合斜面Ｓ２へ当接して当該斜面を斜行した後に隣りの空隙ｇ１に入るように構成した。
【００１２】
本手段の構成では、被係合突起７８は、押下げヘッド７０を押し下げたときに、第２係合凸部同士の間の凹溝ｇ２から下側係合斜面Ｓ１を経て第１係合凸部同士の間の空隙ｇ１へ入り、上記押下げの解放により作動部材５０が上方へ復帰するときに、当該空隙から上側係合斜面Ｓ２を経て上記凹溝へ入る。言い換えれば、作動部材５０が上下する範囲の中間位置で被係合突起７８が下側係合斜面Ｓ１又は上側係合斜面Ｓ２に当接して斜めにスライドする。押下げヘッド７０の押下げを開始した後、ある程度の勢いが生じたときに被係合突起７８が下側係合斜面Ｓ１に突き当たるので、下側係合斜面Ｓ１との摩擦に負けずに、押下げヘッド７０を押し切ることができ、使い勝手を損なわない。作動部材が上昇するときも同様である。
【００１３】
第４の手段は、第１の手段から第３の手段の何れかを有し、かつ
上記被係合突起７８は、側方からみて、その上面を、周方向の一方から他方へ下がる下側傾斜面Ｔ１に、またその下面を、周方向一方から他方へ上がる上側傾斜面Ｔ２にそれぞれ形成し、かつ下側傾斜面Ｔ１の傾斜角度を第１係合凸部２８の下側係合斜面Ｓ１の傾斜角と一致させるとともに、上側傾斜面Ｔ２の傾斜角度を第２係合凸部３８の上側係合斜面Ｓ２の傾斜角と一致させるようにした。
【００１４】
本手段では、図３に示すように、被係合突起７８の上面を、上側係合斜面Ｓ２と同じ傾斜角度で傾斜する上側傾斜面Ｔ２に、被係合突起７８の下面を、下側係合斜面Ｓ１と同じ傾斜角度で傾斜する下側傾斜面Ｔ１としている。これにより、被係合突起７８のガイドを円滑に行うことができる。
【００１５】
第５の手段は、第１の手段から第４の手段の何れかを有し、かつ
上記回転量表示手段Ｍは、案内筒部３６の上部に付設された内向きフランジ４２の上面に形成した第１マークｍ１と、押下げヘッド７０の頂壁部７２の上面に形成された第２マークｍ２とで構成された。
【００１６】
本手段では、図８に示すように、回転量表示手段Ｍを、案内筒部３６の内向きフランジ４２の上面に形成した第１マークｍ１と、押下げヘッド７０の頂壁部７２の上面に形成した第２マークｍ２とで構成している。上面から見ると、第１マークｍ１に対して第２マークｍ２が周方向に移動することで使用回数が容易に視認することができるとともに、側方から見ると、それらのマークが目に入らないので製品の体裁を損なうことがない。また需要者が使用回数カウント機能付きの商品を購入する場合には、それらのマークを目印にすることで、そうした機能を有しない製品と容易に区別することができるので、安心して購入することができる。
【００１７】
第６の手段は、第１の手段から第５の手段の何れかを有し、かつ
上記装置本体２のフランジ部Ｆを、装置本体２のうち抜け止め用筒部２４の上部から外方へ延出させたフランジ状壁部とした。
【００１８】
本手段では、作動部材５０の抜け出し防止用の抜け止め用筒部２４から、カウンター手段の一部である第１係合凸部２８付きのフランジ部Ｆを延設した。既存の部品に別の機能を発揮する部位を組み込むことで、部品数を増やさず、低コストで多機能のポンプ装置を提供できる。
【発明の効果】
【００１９】
第１の手段に係る発明によれば、カウンター手段の回転手段Ｒを、装着部材３２の案内筒部３６に設けた第１係合凸部２８と、装置本体２のフランジ部Ｆに設けた第２係合凸部３８と、押下げヘッド７０に設けた被係合突起７８とで構成しており、別途に回転部材を設ける場合に比べて簡易な構造とすることができる。
第２の手段に係る発明によれば、フランジ部Ｆ及び案内筒部３６の周方向の一部を、係合凸部を設けないプライミング操作用領域Ａ１としたから、プライミング操作の際の上下動を計数することを防止できる。
第３の手段に係る発明によれば、押下げヘッド７０の下降により、上記空隙ｇ１内に位置する被係合突起７８が下側係合斜面Ｓ１へ接して当該斜面を斜行した後に隣りの凹溝ｇ２内に入り、押下げヘッド７０の上昇により、凹溝ｇ２内に位置する被係合突起７８が上側係合斜面Ｓ２へ当接して当該斜面を斜行した後に隣りの空隙ｇ１に入るように構成したから、凹溝ｇ２と空隙ｇ１との間の被係合突起７８の移動を円滑に行うことができる。
第４の手段に係る発明によれば、被係合突起７８の上面及び下面をそれぞれ斜面としたから、被係合突起７８の案内が円滑に行える。
第５の手段に係る発明によれば、上記装置本体２のフランジ部Ｆを、装置本体２のうち抜け止め用筒部２４の上部から外方へ延出させたフランジ状壁部としたから、上方からみて押下げヘッド７０の操作回数が一見してわかると同時に、側方からはそれらマークが目に入らないので、容器に装着したときに容器の外観を損なわない。
第６の手段に係る発明によれば、上記装置本体２のフランジ部Ｆを、装置本体２のうち抜け止め用筒部２４の上部から外方へ延出させたフランジ状壁部としたから、通常のポンプ装置に比べて部品数を増やさずに回転手段Ｒを構成できる。
【図面の簡単な説明】
【００２０】
【図１】本発明の第１実施形態に係る容器体装着用のポンプ装置の縦断面図である。
【図２】図１のポンプ装置の要部拡大図である。
【図３】図１のポンプ装置の一部切り欠き背面図である。
【図４】図１のIV−IV方向の断面図である。
【図５】図１のポンプ装置の一部品の縦断面図である。
【図６】図１のポンプ装置の他部品の縦断面図である。
【図７】図１のポンプ装置の第１係合凸部付きのフランジ部及び第２係合凸部３８付きの案内筒部の内面形状を、１８０°展開した図面である。
【図８】図１のポンプ装置の平面図である。
【図９】図１のポンプ装置を押下げヘッドが回転した状態で示す平面図である。
【図１０】図１のポンプ装置の回転手段の作用説明図である。
【図１１】図１のポンプ装置のプライミング操作を行うときの平面図である。
【発明を実施するための最良の形態】
【００２１】
図１から図１１は、本発明の第１の実施形態に係る容器体装着用のポンプ装置を示している。このポンプ装置は、装置本体２と、装着部材３２と、ポペット弁体４４と、作動部材５０とで構成されている。これら各部材は、例えば合成樹脂や金属で形成することができる。
【００２２】
装置本体２は、図１に示す如く、シリンダ４及び補助部材２２を具備する。
【００２３】
上記シリンダ４は、周壁６の上端部に外向きフランジ８を付設し、この外向きフランジ８を、パッキン１０を介して容器体１００の口頸部１０２上面に載置することが可能に構成している。図示例では、周壁６の上半部６aを下半部６ｂに比べて大径に形成するとともに、その上半部６aに通気孔１２を開口している。通気孔１２は、図１の状態で後述の環状ピストン５２により閉鎖され、図１の状態から作動部材５０を下降させたときには環状ピストン５２が通気孔１２の形成箇所より下がることで開口するように配置する。
【００２４】
上記シリンダ４の周壁６の下半部６ｂの内周面には、複数の縦リブ１４Ａを設け、さらに各縦リブ１４Ａと連続して上向きの段部を形成する縦向きの係止リブ１４Ｂを縦設している。周壁６の下半部６ｂの下端側は、下端小径のテーパ状筒部１５に形成しており、テーパ状筒部１５の内面下部を第１弁座１６としている。またシリンダ４の下端からはパイプ嵌合筒部１８を垂下しており、このパイプ嵌合筒部１８内にパイプ２０を嵌合している。
【００２５】
上記補助部材２２は、後述の作動部材５０の抜け止め用筒部２４を有し、この抜け止め用筒部２４を、通気孔１２上方の周壁部分内面に嵌着するとともに、抜け止め用筒部２４の上端部から突出した外向きのフランジ状壁部２６を上記シリンダ４の外向きフランジ８の上に載置している。図示例では、抜け止め用筒部２４の内周面の下半部を、その上半部から環状傾斜部２２ａを介して拡径する大径部に形成している。
【００２６】
本実施形態では、請求項にいうフランジ部Ｆを補助部材のフランジ状壁部２６として、このフランジ状壁部２６の外周部からは複数の第１係合凸部２８を起立している。もっとも前述の如くフランジ状壁部２６の突出長を外向きフランジの突出長より短くしてフランジ状壁部より外方の外向きフランジ部分から第1係合凸部２８を起立した構造も、本発明の技術的範囲に含まれる。図示例において、図４に示す如く、これら第１係合凸部２８は、フランジ状壁部２６の外周部の一部（プライミング操作用領域Ａ１）を除いた、残りの部分（通常操作領域Ａ２）に対して、一定のピッチで配列されている。これら第１係合凸部２８の上面は、側方から見て周方向の一方から他方へ下がる下側係合斜面Ｓ１に形成されている。また図示例では、それら第１係合凸部２８は、フランジ状壁部２６の上面から起立する一定の巾を有する縦長帯状の起立板として、隣り合う起立板同士の間に空隙ｇ１を存して形成されている。
【００２７】
上記抜け止め用筒部２４の上端からは延長筒部３０を起立している。  
【００２８】
装着部材３２は、上記口頸部１０２の外面へ嵌合（図示例では螺合）することが可能な装着筒部３４を有する。装着筒部３４の内周上端部には、シリンダの係止手段Ｅである下向き段部を設けており、この係止段部をシリンダ４の外向きフランジ８の上面外縁部に係止させるように形成している。これにより、外向きフランジ８を、パッキン１０を介して口頸部１０２の上面に圧接させることができる。
【００２９】
上記装着筒部３４の上端部からは、後述の押下げヘッド７０を案内するための案内筒部３６を起立している。案内筒部３６の上端部には内向きフランジ４２を付設しており、案内筒部３６の内面上半部からは、複数の第２係合凸部３８を内方突出している。これら第２係合凸部３８は、周方向に一定の巾を有する帯状であり、周方向に第１係合凸部２８と同じ一定のピッチで相互の間に下方開口の凹溝ｇ２を存して配列している。第２係合凸部３８の下面は、側方から見て周方向一方から他方へ上がるように傾斜させた上側係合斜面Ｓ２とする。
【００３０】
好適な図示例では、複数の第２係合凸部３８は、第１係合凸部２８と同じように、案内筒部３６の周方向の一部（プライミング操作領域Ａ１）には形成せず、周方向の残りの部分（通常操作領域Ａ２）に形成している。
【００３１】
図示例では、図１０に示す如く、第１係合凸部２８の周方向の巾、第１係合凸部同士の空隙ｇ１の周方向の巾、第２係合凸部３８の周方向の巾、及び第２係合凸部同士の間の凹溝ｇ２の周方向の巾を、全てほぼ同一としている。各第２係合凸部３８の形成箇所は、第２係合凸部３８の下端が第１係合凸部２８の上端よりも上方に位置するように設定されている。
【００３２】
上記案内筒部３６の内周面下半部には、第１係合凸部２８の付設箇所に対応して、係合溝部４０を縦設している。そしてこの係合溝部４０内に、上記一部の第１係合凸部２８の外側の端部２８ａで形成する係合部を嵌合して、装着部材３２に対する補助部材２２の回転を阻止する回り留め手段Ｕを形成している。但し、回り留め手段Ｕの構造は適宜変更することができる。
【００３３】
上記内向きフランジ４２の上面には、上記第２係合凸部３８の形成位置に対応して、操作回数を示す目盛りである第１マークｍ１を形成する。
【００３４】
ポペット弁体４４は、シリンダ４の下半部内に挿入された縦長棒状の部材であり、その下端部とシリンダ４の第１弁座とで第１逆止弁Ｖ１を形成している。ポペット弁体４４は、その上端部を後述のピストンガイド５５の内部へスライド可能に嵌挿するとともに、下端部外周から放射方向に突出した複数の係合片４６を、付勢手段Ｃである後述のコイルスプリングの下端に係止している。そしてピストンガイド５５の内面との摩擦力により作動部材５０に追従して、係合片４６がコイルスプリングの下端に当接する位置と、ポペット弁体の下端が第１弁座１６に当たる位置との間で昇降可能に形成している。
【００３５】
作動部材５０は、環状ピストン５２と、ステム５４と、ピストンガイド５５と、押下げヘッド７０とで構成している。
【００３６】
上記環状ピストン５２は、シリンダ４の周壁６上半部６aに昇降可能に嵌合させている。図示の環状ピストン５２は、外周壁部５２ａと内周壁部５２ｂとの上下方向中間部を連結壁部５２ｃで連結させており、外周壁部５２ａをシリンダ４に摺接させるとともに、内周壁部５２ｂが後述のピストンガイド５５の縦筒部５６の回りを囲むように形成している。
【００３７】
上記ステム５４は、シリンダ４の内部から上方へ起立している。図示例のステムは小径筒部５４ａから下端大径のテーパ状壁部５４ｂを介して大径筒部５４ｃを垂下してなり、補助部材２２内に昇降自在に嵌合している。テーパ状壁部５４ｂが抜け止め用筒部２４の環状傾斜部２２ａに係止することで、ステム５４の上方抜け出しを防止している。上記大径筒部５４ｃの内面には環状ピストン５２の内周壁部５２ｂを昇降可能に嵌着している。
【００３８】
上記ピストンガイド５５は、通液孔５７付きの縦筒部５６の下端から外方へ鍔状の第２弁座５８を突出し、この第２弁座５８から複数の連結片６０を介して周壁６内面付近へガイドリング６２を突設してなる。縦筒部５６の上部は上記ステム５４の小径筒部５４ａの下部へ嵌着している。縦筒部５６の下端部には上記ポペット弁体４４の上端部を嵌合している。なお、ステム５４とピストンガイド５５の縦筒部５６との間には、通液孔５７を後述の第２逆止弁Ｖ２と連通させる通液路Ｐを形成する。この通液路は縦筒部５６の外面とステム５４の内面との何れか一方に縦溝を縦設することで形成することができる。
【００３９】
作動部材５０は、上記ステム５４及びピストンガイド５５に対して、上述の環状ピストン５２が、外周壁部５２ａが抜け止め用筒部２４に当接する位置と、内周壁部５２ｂの下端が第２弁座５８に当接する位置との間で相対的に昇降可能となるように構成されている。そして内周壁部５２ｂの下端と第２弁座５８とは第２逆止弁Ｖ２を構成している。
【００４０】
なお、本明細書において「相対的な上下動」とは、ステム及び環状ピストンがともに上昇するが、ステム及び環状ピストンの一方の上昇幅に対して他方の上昇幅が大きいために一方を基準として他方がより高い位置に移動すること、並びに、ステム及び環状ピストンがともに下降するが、ステム及び環状ピストンの一方の下降幅に対して他方の下降幅が大きいために一方を基準として他方がより低い位置に移動することをいうものとする。
【００４１】
上記ピストンガイド５５の下面とシリンダ４の係止リブ１４Ｂとの間には作動部材５０の付勢手段Ｃであるコイルスプリングが介装されている。
【００４２】
上記押下げヘッド７０は、頂壁部７２の裏面中央部から小径の取付筒部７４を、頂壁部７２の外周からヘッド周壁部７６を、それぞれ垂下するとともに、取付筒部７４の内部に連通するノズル８０を、ヘッド周壁７６より外方へ突出している。上記取付筒部７４はステム５４の上端部に嵌着されている。ヘッド周壁７６は、内向きフランジ４２の内側へ挿入されている。
【００４３】
上記頂壁部７２の上面の外周部の一部には、矢印などの形状の第２マークｍ２を形成する。この第２マークｍ２と前述の第１マークｍ１とで回転量表示手段Ｍを形成する。
【００４４】
上記ヘッド周壁７６の下部外周面の一部（図示例ではノズル８０と反対側）より被係合突起７８を外方突出している。この被係合突起７８の下面は、外方から見て周方向一方から他方へ下がる傾斜面とする下側傾斜面Ｔ１に、その上面を、外方から見て周方向一方から他方へ上がる傾斜面とする上側傾斜面Ｔ２に傾斜されている。また被係合突起７８の周方向の側面は垂直面である。被係合突起７８と第１係合凸部２８と第２係合凸部３８とで押し下げヘッド７０の回転手段Ｒを形成している。  
【００４５】
上記被係合突起７８は、図１の状態において、第２係合凸部３８同士の間の凹溝ｇ２内に位置している。
【００４６】
本発明のポンプ装置の組み立て工程では、図１１に示すように、作動部材５０は、装置本体２に対して第２マークｍ２が、第１マークｍ１が表示されていない位置に在るように取り付ける。そうすると、被係合突起７８はプライミング操作用領域Ａ１に位置する。この状態で押下げヘッド７０を押し下げても、被係合突起７８は第１係合凸部２８及び第２係合凸部３８と係合しないので、押下げヘッド７０が回転することがない。
【００４７】
プライミング操作が完了した後、押下げヘッド７０を回転させて、図８に示す状態になるようにする。ここまでの作業は、製造元で予めその作業を行ってもよい。プライミング操作をして液体が吐出することを確認した後に図８の状態まで押し下げヘッド７０を回すとよく、これにより、消費者が使用するときにはプライミング操作をせずに直ちに使用することができる。もっとも利用者がプライミング作業を行うようにしても構わない。
【００４８】
次に図１の状態から押下げヘッド７０を押し下げると、作動部材５０が下降してステム５４内の液体が第２逆止弁Ｖ２を介してノズル８０から吐出され、押下げヘッド７０の押し下げを解放すると、付勢手段Ｃが作動部材５０を押し上げることで、ステム５４内部が負圧化し、第２逆止弁Ｖ２が閉じるとともに第１逆止弁Ｖ１が開き、容器体１００内の液体がステム５４内に吸引される。
【００４９】
作動部材５０が下降すると、被係合突起７８は、図１０（Ａ）に示す第２係合凸部３８間の凹溝ｇ２内から下降して下側係合斜面Ｓ１に当たり（同図（Ｂ）参照）、下側係合斜面に沿って斜めに滑った後に、第１係合凸部２８間の空隙ｇ１内に入る（同図（Ｃ）参照）。
【００５０】
次に作動部材５０が上昇すると、被係合突起７８は、上記空隙ｇ１内から上昇して上側係合斜面Ｓ２に当たり（同図（Ｄ）参照）、上側係合斜面に沿って斜めに滑った後に、最初の空隙ｇ１の隣りに存する空隙ｇ１内に入る（同図（Ｅ）参照）。
【００５１】
これにより、押下げヘッド７０の押し下げ回数に対応して押下げヘッド７０を回転することができる。押下げヘッド７０の回転により押下げヘッド７０の頂壁部７２の第２マークｍ２が移動するので、第２マークｍ２と第１マークｍ１との位置関係により操作回数が視認できる。
【符号の説明】
【００５２】
２…装置本体  ４…シリンダ  ６…周壁  ６ａ…(同)上半部  ６ｂ…(同)下半部
８…外向きフランジ  １０…パッキン  １２…通気孔
１４Ａ…縦リブ  １４Ｂ…係合リブ  １５…テーパ状筒部
１６…第１弁座  １８…パイプ嵌合筒部  ２０…パイプ  
２２…補助部材  ２２ａ…環状傾斜部  ２４…抜け止め用筒部  ２４ａ…係止段部
２６…フランジ状壁部  ２８…第１係合凸部  ２８ａ…端部(係合部) 
３０…延長筒部  
３２…装着部材  ３４…装着筒部  ３６…案内筒部  ３８…第２係合凸部
４０…係合溝部  ４２…内向きフランジ  ４４…ポペット弁体  ４６…係合片
５０…作動部材  ５２…環状ピストン  ５２ａ…外周壁部  ５２ｂ…内周壁部
５２ｃ…連結壁部
５４…ステム  ５４ａ…小径筒部  ５４ｂ…テーパ状壁部  ５４ｃ…大径筒部
５５…ピストンガイド  ５６…縦筒部  ５７…通液孔  
５８…第２弁座  ６０…連結片  ６２…ガイドリング
７０…押下げヘッド  ７２…頂壁部  ７４…取付筒部
７６…ヘッド周壁  ７８…被係合突起
８０…ノズル
１００…容器体  １０２…口頸部
Ａ１…プライミング操作用領域  Ａ２…通常操作領域
Ｃ…付勢手段  Ｅ…係止手段  ｇ１…空隙  ｇ２…凹溝  Ｆ…フランジ部
Ｍ…回転量表示手段  ｍ１…第１マーク  ｍ２…第２マーク
Ｐ…通液路  Ｒ…回転手段
Ｓ１…下側係合斜面  Ｓ２…上側係合斜面  Ｔ１…下側傾斜面  Ｔ２…上側傾斜面  
Ｕ…回り留め手段  
Ｖ１…第１逆止弁  Ｖ２…第２逆止弁  
【図１】
2015127226.tif 000003
【図２】
2015127226.tif 000004
【図３】
2015127226.tif 000005
【図４】
2015127226.tif 000006
【図５】
2015127226.tif 000007
【図６】
2015127226.tif 000008
【図７】
2015127226.tif 000009
【図８】
2015127226.tif 000010
【図９】
2015127226.tif 000011
【図１０】
2015127226.tif 000012
【図１１】
2015127226.tif 000013